(57)【要約】【課題】遊技機に隣接して設置されるメダル貸出機または遊技機において、コインの入り口におけるコインの角度を搬送路に適合するコインの角度に変えることができるメダル姿勢規定装置を提供する。【解決手段】メダル姿勢規定装置９０は、その上部部材９２がメダルを受け入れるメダル受け入れ用開口部６２を備え、その下部部材９４がメダルがほぼ直立した状態で送出されるメダル送出用開口部６４とメダルがメダル送出用開口部６４から送出されるようにガイドし、常に下方に傾斜するガイド面７２を備えるメダル姿勢規定部７０とを備える。ガイド面７２は少なくとも２つの錐体状部７８の側面を含む。ガイド面上部はガイド面下部より広い内幅を有するように形成され、ガイド面下部はメダル送出用開口部６４に連続する形状を持つ。上部部材９２と下部部材９４は互いにほぼ水平回転可能に係合する。【選択図】　図３
2004054377.tif 000002
【特許請求の範囲】
【請求項１】
遊技機に隣接して設置されるメダル貸出機または遊技機に用いられるメダル姿勢規定装置であって、
メダルを一時的に保持する容器状部材を有し、
前記容器状部材は、
メダルを受け入れるメダル受け入れ用開口部と、
前記メダルの厚さより僅かに幅広に形成され、前記メダルがほぼ直立した状態で送出されるメダル送出用開口部と、
前記メダルをほぼ直立状態とし、当該メダルが前記メダル送出用開口部から送出されるようにガイドし、かつ、常に下方に傾斜するガイド面を備えるメダル姿勢規定部と、を備える、
メダル姿勢規定装置。
【請求項２】
遊技機に隣接して設置されるメダル貸出機または遊技機に用いられるメダル姿勢規定装置であって、
上部部材と、
前記上部部材と互いにほぼ水平回転可能に係合して前記上部部材とともに容器状をなす下部部材と、
を有し、
前記上部部材はメダルを受け入れるメダル受け入れ用開口部を備え、
前記下部部材は、
メダルが送出されるメダル送出用開口部と、
前記メダルをほぼ直立状態とし、当該メダルが前記メダル送出用開口部から送出されるようにガイドし、かつ、常に下方に傾斜するガイド面を備えるメダル姿勢規定部とを備える、
メダル姿勢規定装置。
【請求項３】
請求項１または２において、
前記ガイド面は上方側の部分であるガイド面上部と下方側の部分であるガイド面下部とを備え、
前記ガイド面上部は前記ガイド面下部より広い内幅を有するように形成され、
前記ガイド面下部は前記メダル送出用開口部に連続する形状に形成された、
メダル姿勢規定装置。
【請求項４】
請求項１ないし３のいずれかにおいて、
前記メダル姿勢規定部は少なくとも２つの錐体状部を備え、
前記ガイド面は前記少なくとも２つの錐体状部の側面を含む、
メダル姿勢規定装置。
【請求項５】
請求項１ないし４のいずれかに記載のメダル姿勢規定装置と、
底部と、前記底部から立ち上がる一対の側部とを備え、前記側部はそれらの内面側が前記メダルの厚さより幾分広い間隔で対向し、前記メダルがほぼ直立した状態で移動できるように形成され、前記メダル受け入れ用開口部に接合された受入れメダル搬送レールと、
を有するメダル払い出しノズル。
【請求項６】
請求項１ないし４のいずれかに記載のメダル姿勢規定装置と、
底部と、前記底部から立ち上がる一対の側部とを備え、前記側部はそれらの内面側が前記メダルの厚さより幾分広い間隔で対向し、前記メダルがほぼ直立した状態で移動できるように形成され、前記メダル送出用開口部に接合された送出メダル搬送レールと、
を有するメダル払い出しノズル。
【請求項７】
請求項６において、
底部と、前記底部から立ち上がる一対の側部とを備え、前記側部はそれらの内面側が前記メダルの厚さより幾分広い間隔で対向し、前記メダルがほぼ直立した状態で移動できるように形成され、前記メダル受け入れ用開口部に接合された受入れメダル搬送レールをさらに備えるメダル払い出しノズル。
【請求項８】
筐体と、前記筐体に取り付けられた請求項５ないし７のいずれかに記載のメダル払い出しノズルと、を有するメダル貸出機。
【請求項９】
筐体と、前記筐体に取り付けられた請求項５ないし７のいずれかに記載のメダル払い出しノズルと、を有する遊技機。
【発明の詳細な説明】
【０００１】
【発明の属する技術分野】
本発明は、遊技機に隣接して設置されるメダル貸出機または遊技機に用いられるメダル姿勢規定装置、メダル払い出しノズル、メダル貸出機、および遊技機に関する。
【０００２】
【背景技術および発明が解決しようとする課題】
遊技機に隣接して設置されるメダル貸出機または遊技機においては、コインが入ってくる入り口におけるコインの角度とコインを搬送する搬送路におけるコインの角度とが異なってしまう場合がある。そのような搬送路を用いてコインを搬送するためには、コインの入り口におけるコインの角度を搬送路に適合するコインの角度に変える必要が生じる。
【０００３】
本発明は、上記のような点に鑑みてなされたものであって、その目的は、遊技機に隣接して設置されるメダル貸出機または遊技機において、コインの入り口におけるコインの角度を搬送路に適合するコインの角度に変えることができるメダル姿勢規定装置、メダル払い出しノズル、メダル貸出機、および遊技機を提供することにある。
【０００４】
【課題を解決するための手段】
（１）　本発明にかかるメダル姿勢規定装置は、遊技機に隣接して設置されるメダル貸出機または遊技機に用いられるメダル姿勢規定装置であって、メダルを一時的に保持する容器状部材を有し、
前記容器状部材は、メダルを受け入れるメダル受け入れ用開口部と、前記メダルの厚さより僅かに幅広に形成され、前記メダルがほぼ直立した状態で送出されるメダル送出用開口部と、前記メダルをほぼ直立状態とし、当該メダルが前記メダル送出用開口部から送出されるようにガイドし、かつ、常に下方に傾斜するガイド面を備えるメダル姿勢規定部と、を備える。
【０００５】
本発明によれば、メダル受け入れ用開口部から入ったメダルを、常に下方に傾斜するガイド面を持つメダル姿勢規定部がガイドすることによって、メダル送出用開口部から送出することが可能となる。
【０００６】
（２）　または、本発明にかかるメダル姿勢規定装置は、遊技機に隣接して設置されるメダル貸出機または遊技機に用いられるメダル姿勢規定装置であって、上部部材と、前記上部部材と互いにほぼ水平回転可能に係合して前記上部部材とともに容器状をなす下部部材と、を有し、前記上部部材はメダルを受け入れるメダル受け入れ用開口部を備え、前記下部部材は、メダルが送出されるメダル送出用開口部と、前記メダルをほぼ直立状態とし、当該メダルが前記メダル送出用開口部から送出されるようにガイドし、かつ、常に下方に傾斜するガイド面を備えるメダル姿勢規定部とを備える。
【０００７】
本発明によれば、メダル受け入れ用開口部から入ったメダルを、常に下方に傾斜するガイド面を持つメダル姿勢規定部がガイドすることによって、上部部材と下部部材とが互いにいかなる水平回転の位置関係にあろうとも、メダル送出用開口部から送出することが可能となる。すなわち、メダル受け入れ用開口部に入った時点でのメダルの平面視における方向と、メダル送出用開口部が送出するメダルの平面視における方向を、上部部材と下部部材とを互いに水平回転させることによって、任意に変えることが可能となる。
【０００８】
（３）　なお、前記ガイド面は上方側の部分であるガイド面上部と下方側の部分であるガイド面下部とを備え、前記ガイド面上部は、前記ガイド面下部より広い内幅を有するように形成され、前記ガイド面下部は、前記メダル送出用開口部に連続する形状に形成されていてもよい。
なお、本明細書において内幅とは水平に対向するガイド面同士の距離である。
【０００９】
このように通常メダルが最初に接触するガイド面上部がガイド面下部より広い内幅を有することによって、受け入れたメダルがひっかかったりして滞留することなく確実にガイドすることができる。また、ガイド面下部がメダル送出用開口部に連続する形状を有することによって、メダルをメダル送出用開口部にスムースに導くことができる。
【００１０】
（４）　また、前記メダル姿勢規定部は少なくとも２つの錐体状部を備え、前記ガイド面は前記少なくとも２つの錐体状部の側面を含むようにしてもよい。
【００１１】
なお、本明細書において錐体状とは、円錐や角錐などの通常の錐体に加え、錐体の頂点付近が削り取られた形状をも含むものとする。
【００１２】
（５）　本発明にかかるメダル払い出しノズルは、
前記メダル姿勢規定装置と、
底部と、前記底部から立ち上がる一対の側部とを備え、前記側部はそれらの内面側が前記メダルの厚さより幾分広い間隔で対向し、前記メダルがほぼ直立した状態で移動できるように形成され、前記メダル受け入れ用開口部に接合された受入れメダル搬送レールと、を有する。
【００１３】
本発明のメダル払い出しノズルによれば、離れた位置にあるメダルを受入れメダル搬送レールで運んでメダル姿勢規定装置に受入れ、メダル姿勢規定装置によってメダルをほぼ直立状態としてメダル送出用開口部から送出することができる。
【００１４】
（６）　あるいは、本発明にかかるメダル払い出しノズルは、
【００１５】
前記メダル姿勢規定装置と、
底部と、前記底部から立ち上がる一対の側部とを備え、前記側部はそれらの内面側が前記メダルの厚さより幾分広い間隔で対向し、前記メダルがほぼ直立した状態で移動できるように形成され、前記メダル送出用開口部に接合された送出メダル搬送レールと、を有する。
【００１６】
本発明のメダル払い出しノズルによれば、メダル受け入れ用開口部からメダル姿勢規定装置に入ったメダルをほぼ直立状態としてメダル送出用開口部から送出し、そのメダルを送出メダル搬送レールによってほぼ直立した状態で離れた位置に運ぶことができる。
【００１７】
（７）　本発明にかかるメダル払い出しノズルは、（６）の各部に加えて、
底部と、前記底部から立ち上がる一対の側部とを備え、前記側部はそれらの内面側が前記メダルの厚さより幾分広い間隔で対向し、前記メダルがほぼ直立した状態で移動できるように形成され、前記メダル受け入れ用開口部に接合された受入れメダル搬送レールをさらに備えていてもよい。
【００１８】
本発明の払い出しノズルによれば、離れた位置にあるメダルを受入れメダル搬送レールで運んでメダル姿勢規定装置に受入れ、メダル姿勢規定装置によってメダルをほぼ直立状態としてメダル送出用開口部から送出し、そのメダルを送出メダル搬送レールによってほぼ直立した状態で離れた位置に運ぶことができる。
【００１９】
（８）　本発明にかかるメダル貸出機は、筐体と、前記筐体に取り付けられた前記メダル払い出しノズルと、を有する。
本発明によれば、前述したいずれかの作用効果を奏する払い出しノズルを備えるメダル貸出機が得られる。
【００２０】
（９）　本発明にかかる遊技機は、筐体と、前記筐体に取り付けられた前記メダル払い出しノズルと、を有する。
本発明によれば、前述したいずれかの作用効果を奏する払い出しノズルを備える遊技機が得られる。
【００２１】
【発明の実施の形態】
以下、本発明の好適な実施形態について、図面を参照しながら、さらに具体的に説明する。
【００２２】
１．　＜第１実施形態＞
図１は、本発明の第１実施形態に係るメダル貸出機１００およびスロットマシン２００が併設された状態で示す模式的な外観を示す斜視図である。図２は、メダル貸出機１００およびスロットマシン２００が併設された状態で示す模式的な正面図である。
【００２３】
メダル貸出機１００は、スロットマシン２００の遊技に使用するメダルを貸し出すためのものである。また、メダル貸出機１００は、これらの図に示すように遊技店舗に多数配置される各スロットマシン２００の脇に１台ずつ配置されることが一般的であるため、台間機とも呼ばれる。スロットマシン２００で遊技を楽しもうとする遊技者は、まずメダル貸出機１００からメダルを借り、スロットマシン２００のメダル投入口３４にメダルを入れることにより遊技を開始することができる。
【００２４】
メダル貸出機１００のメダル払い出し部１０４にはメダル払い出しノズル１５０が設けられている。メダル貸出機１００の本体は一般的に縦長の直方体形状の筐体４８を持ち、前面上方に金銭を投入してメダルを借りるための紙幣投入口１０２が設けられている。紙幣投入口４０２の下方には、貸し出すメダルの数量などを表示する表示部１０６が設けられる。紙幣投入口１０２の内部には図示しない紙幣識別装置が設けられている。この紙幣識別装置は、紙幣投入口１０２から投入された紙幣が本物であると判定した場合、投入された紙幣に相当するメダルをメダル貸出機１００から排出し、また、紙幣投入口１０２から投入された紙幣が偽物であると判定した場合、投入された紙幣をそのまま紙幣投入口１０２に戻す。メダル貸出機１００の内部にはメダルを払い出すための装置としての図示しないホッパーが設けられている。ホッパーの上部には図示しないメダル収納部が設けられている。ホッパーは、メダル収納部内に収納されたメダルをそのメダル払い出し部１０４から一枚づつメダル払い出しノズル１５０に排出する。
【００２５】
メダル貸出機１００の紙幣投入口１０２から所定の金額の紙幣が一枚挿入されると、挿入された紙幣は紙幣識別装置で真偽が判定される。投入された紙幣が本物と判定された場合、投入された紙幣の金額に相当するメダルの数量を表示部１０６に表示するとともに、ホッパーによりメダル収納部に収納されたメダルが所定の数だけ一枚一枚メダル払い出し部１０４から排出される。メダルはメダル払い出しノズル１５０により案内されてメダル投入口３４に導かれる。これによって、遊技客はメダルを手でメダル投入口に入れる必要がなく、容易にスロットマシン２００の遊技を楽しむことができる。
【００２６】
次に、スロットマシン２００の構造の概略を説明する。スロットマシン２００は、四角箱状の筐体１１を有する。筐体１１の中央部及び上部には、遊技者側に向かって臨む四角窓状の表示窓１２が形成されている。そして、この中央部の表示窓１２の中央には、三個の回転リール４０の図柄４１を見ることができる図柄表示窓１３が形成されている。
【００２７】
ベットスイッチ１６は、回転リール４０の下方に位置するスイッチであって、選択するゲームの種類に応じて貯留メダル数を減じて、メダル投入に代える。精算スイッチ１７は、回転リールの斜め下方に位置するスイッチであって、貯留した投入メダルを払い出す。
【００２８】
スタートスイッチ３０は回転リール４０の斜め下方に位置するスイッチであって、遊技メダルの投入若しくはベットスイッチ１６の投入を条件に、リールユニット４５の駆動を開始させる。ストップスイッチ３２は、リールユニット４５の駆動を停止させるためのものである。リールユニット４５は、三個の回転リール４０から構成されている。そして、各回転リール４０は、合成樹脂からなる回転ドラムと、この回転ドラムの周囲に貼付されるテープ状のリールテープ４２とを備えている。このリールテープ４２の外周面には、複数個（例えば２１個）の図柄４１が表示されている。
【００２９】
また、図１において破線で示すように、スロットマシン２００には、メダル投入口３４から投入されるメダルを受けてこれを送り出すメダル投入装置３５、送り出されたメダルを受けて正しいメダルかどうか判別するメダルセレクタ３６、スロットマシン２００内に貯留されたメダルを払い出すためのメダル払い出しホッパ３７、メダル受け部３８のメダルをメダル投入装置３５にベルトコンベア方式などにより揚送するメダル揚送装置３９を備える。メダル揚送装置３９は、適宜駆動させたり停止させたりすることにより、メダル受け部３８にメダルを貯めておくか、又はメダル投入装置３５に適宜メダルを送り込むかの選択をすることができる。
【００３０】
図３は、第１実施形態のメダル払い出しノズル１５０のみの外観を模式的に示す斜視図である。この図に示すように、メダル払い出しノズル１５０は、メダル姿勢規定装置９０と、受入れメダル搬送レール２０と、送出メダル搬送レール２５とを含んで構成される。メダル払い出し部１０４から払い出されたメダルは、受入れメダル搬送レール２０を通ってメダル姿勢規定装置９０に入って適切な姿勢とされ、送出メダル搬送レール２５に送出されて、メダル投入口に投入されることになる。
【００３１】
メダル姿勢規定装置９０は、上部部材９２と下部部材９４とから形成され、閉じた容器状となっている。上部部材９２と下部部材９４とは互いにほぼ水平回転可能に係合している。上部部材９２は、図３に示すように、メダルを受け入れるメダル受け入れ用開口部６２を備えている。メダル姿勢規定装置９０は、メダルを一時的に保持している間にメダルの姿勢を規定する。
【００３２】
図４は下部部材９４の斜視図であり、図５は下部部材９４の平面図である。下部部材９４は、メダルが送出されるメダル送出用開口部６４と、メダル姿勢規定部７０とを備えている。なお、図５においてメダル姿勢規定部７０のガイド面７２に描かれている細線は等高線である。
【００３３】
下部部材９４には、上部部材９２と水平回転可能に係合させるために、例えば図４に示すように上部の外周に切欠部９５が形成されている。例えば、上部部材９２にこの切欠部９５に対応する凸部を設けることによって、上部部材９２と下部部材９４とを水平回転可能に係合することができる。
【００３４】
メダル姿勢規定部７０には、常に下方に傾斜するガイド面７２が設けられており、このガイド面７２によってメダルをほぼ直立状態とし、そのメダルがメダル送出用開口部６４から送出されるようにガイドする。具体的には、メダル姿勢規定部は少なくとも２つの錐体状の部分である錐体状部７８を備えており、ガイド面７２はこれらの錐体状部７８の側面を含んで形成されている。なお、錐体状とは、円錐や角錐などの通常の錐体に加え、それらが変形した形状や、錐体の頂点付近が削り取られた形状をも含む概念として用いている。図４から明らかなように本実施形態では下部部材９４の上端部付近で錐体の上部が削り取られた形状となっている。
【００３５】
また、ガイド面７２は、上方側の部分であるガイド面上部と下方側の部分であるガイド面下部とに区分けすることもできる。そして、メダル受け入れ用開口部６２から入り落下したメダルが通常は最初に接触するガイド面上部は、ガイド面下部より広い内幅を持っている。ガイド面上部では水平に対向するガイド面同士の距離がガイド面下部より大きくなっている。また、ガイド面下部はメダル送出用開口部６４に連続する形状に形成されている。
【００３６】
このように一般的にメダルが最初に接触するガイド面上部がガイド面下部より広い内幅を有することによって、受け入れたメダルがひっかかったりして滞留することなく確実にガイドすることができる。また、ガイド面下部がメダル送出用開口部６４に連続する形状を有することによって、メダルをメダル送出用開口部６４にスムースに導くことができる。
【００３７】
受入れメダル搬送レール２０は、底部２１と、底部２１から立ち上がる一対の側部２２とを備えている。側部２２は互いの内面側がメダルの厚さより幾分広い間隔で対向しており、メダルがほぼ直立した状態で移動できるように形成されている。受入れメダル搬送レール２０は、前述したメダル受け入れ用開口部６２に接合されている。
【００３８】
送出メダル搬送レール２５は、送入メダル搬送レール２０とほぼ同様に形成されており、底部２６と、底部２６から立ち上がる一対の側部２７とを備えている。側部２７は互いの内面側がメダルの厚さより幾分広い間隔で対向しており、メダルがほぼ直立した状態で移動できるように形成されている。送出ダル搬送レール２５は、前述したメダル送出用開口部６４に接合されている。
【００３９】
本実施形態のメダル姿勢規定装置９０によれば、メダル受け入れ用開口部６２から入ったメダルを、常に下方に傾斜するガイド面７２を持つメダル姿勢規定部９０がガイドすることによって、上部部材９２と下部部材９４とが互いにいかなる水平回転の位置関係にあろうとも、メダル送出用開口部６４から送出することが可能となる。すなわち、メダル受け入れ用開口部６２に入った時点でのメダルの平面視における方向と、メダル送出用開口部６４が送出するメダルの平面視における方向を、上部部材９２と下部部材９４とを互いに水平回転させることによって、任意に変えることが可能となる。ここで、平面視とは平面図における視点から見た場合を意味する。
【００４０】
２．　＜第２実施形態＞
第２実施形態は、メダル姿勢規定装置が上部部材と下部部材に分かれていない点が第１実施形態とは異なる。その他の点については、第１実施形態と同様であるので、説明を省略する。なお、図面において対応する部分には第１実施形態と同一の符号を付す。
【００４１】
図６は、第２実施形態のメダル払い出しノズル１６０の外観を模式的に示す斜視図である。この図に示すように本実施形態のメダル姿勢規定装置５０は、一体として形成された閉じた容器状部材６０となっている。このメダル姿勢規定装置５０も、第１実施形態と同様に、メダル受入れ用開口部６２、メダル送出用開口部６４、およびガイド面７２を備えるメダル姿勢規定部７０を有し、メダルを一時的に保持している間にメダルの姿勢を規定する機能を持っている。
【００４２】
本実施形態のメダル払い出しノズル１６０では、第１実施形態のようにメダル姿勢規定部７０が蝶番のように機能して、受入れメダル搬送レール２０と送出メダル搬送レール２５とが平面視においてなす角度を調節することはできない。しかしながら、例えばメダル払い出し部１０４が回転機能を有するものであれば、その回転によって送出メダル搬送レール２５の向きを調節することもできる。この回転機能の点を除いて、本実施形態のメダル払い出しノズルは第１実施形態の場合と同様な作用効果を奏することができる。
【００４３】
３．　＜変形例＞
３．１　前述した各実施形態においては、受入れメダル搬送レールおよび送出メダル搬送レールとして横断面が四角形で閉じた管となっている例を示した。しかしながら、図７に示したメダル払い出しノズル１７０のように、受入れメダル搬送レール２３および送出メダル搬送レール２８がＵ字型の横断面形状を有し、上方に開口したものとしてもよい。
【００４４】
３．２　また、前述した各実施形態においては、メダル払い出しノズルが受入れメダル搬送レールおよび送出メダル搬送レールの両方を備えた例を示した。しかしながら、受入れメダル搬送レールまたは送出メダル搬送レールのいずれか一方のみとメダル姿勢規定部とによってメダル払い出しノズルを構成してもよい。
【００４５】
３．３　さらに、前述した各実施形態においては、メダル姿勢規定部のガイド面が含む錐体状部の側面を含むとして、錐体状部として一種類のみを図示した。しかしながら、錐体状部は、円錐や角錐などの通常の錐体に加え、それらが変形した形状や、錐体の頂点付近が削り取られた形状をも含むことができる。例えば、図８（Ａ），（Ｂ），および（Ｃ）に側面図として示した錐体状部や、それらから破線の部分より上部を削り落として形成される錐体状部であってもよいし、図９に模式的な斜視図として示したような一対の錐体状部であってもよい。
【００４６】
３．４　そして、前述した各実施形態においては、メダル貸出機の外部に取り付けられたメダル払い出しノズルの例を示した。しかしながら、メダル払い出しノズルはメダル貸出機またはスロットマシンの内部に組み込んで用いることもできる。
【００４７】
３．５　本発明は前述した各実施形態に限定されるものではなく、本発明の要旨の範囲内、または、特許請求の範囲の均等範囲内で、各種の変形実施が可能である。
【図面の簡単な説明】
【図１】第１実施形態に係るメダル貸出機およびスロットマシンが併設された状態で示す模式的な外観を示す斜視図である。
【図２】メダル貸出機およびスロットマシンが併設された状態で示す模式的な正面図である。
【図３】第１実施形態のメダル払い出しノズルの外観を模式的に示す斜視図である。
【図４】下部部材の斜視図である。
【図５】下部部材の平面図である。
【図６】第２実施形態のメダル払い出しノズルの外観を模式的に示す斜視図である。
【図７】変形例のメダル払い出しノズルを示す斜視図である。
【図８】（Ａ），（Ｂ），および（Ｃ）は、変形例の錐体状部を示す側面図である。
【図９】変形例の錐体状部を示す斜視図である。
【符号の説明】
１１，４８　筐体
２０，２３　受入れメダル搬送レール
２１，２６　底部
２２，２７　側部
２５，２８　送出メダル搬送レール
５０，９０　メダル姿勢規定装置
６０　容器状部材
６２　メダル受入用開口部
６４　メダル送出用開口部
７０　メダル姿勢規定部
７２　ガイド面
７８　錐体状部
７９　側面
９２　上部部材
９４　下部部材
１００　メダル貸出機
１５０，１６０，１７０　メダル払い出しノズル
２００　スロットマシン
【図１】
2004054377.tif 000003
【図２】
2004054377.tif 000004
【図３】
2004054377.tif 000005
【図４】
2004054377.tif 000006
【図５】
2004054377.tif 000007
【図６】
2004054377.tif 000008
【図７】
2004054377.tif 000009
【図８】
2004054377.tif 000010
【図９】
2004054377.tif 000011